(57)【要約】【課題】  複数の電話番号を複数の用途に分けて使用しつつ、着信表示を周囲の人に見られたとしても人間関係の悪化を招来することがない携帯電話機を提供すること。【解決手段】  １台で複数の電話番号の使用が可能であり、かつ、所定の画像を表示可能な表示部を備えた携帯電話機であって、複数の電話番号のいずれかに、相手先の電話番号及び名称を関連付けて記憶する連絡先記憶手段と、相手先の電話番号又は名称に、相手先の仮名称を関連付けて記憶する仮名称記憶手段と、着信時に、当該相手先の名称を表示するか、又は、当該相手先の仮名称を表示するかを判断する判断手段と、判断手段による判断結果に基づいて、相手先の名称又は仮名称を示す画像を表示部に表示させる名称表示手段とを備えたことを特徴とする携帯電話機。【選択図】    図５
2005184539.tif 000002
【特許請求の範囲】
【請求項１】
１台で複数の電話番号の使用が可能であり、かつ、所定の画像を表示可能な表示部を備えた携帯電話機であって、
前記複数の電話番号のいずれかに、相手先の識別情報を関連付けて記憶する識別情報記憶手段と、
前記相手先の識別情報に、前記相手先の仮識別情報を関連付けて記憶する仮識別情報記憶手段と、
着信時に、当該相手先の識別情報を表示するか、又は、当該相手先の仮識別情報を表示するかを判断する判断手段と、
前記判断手段による判断結果に基づいて、前記相手先の識別情報又は前記相手先の仮識別情報を前記表示部に表示させる識別情報表示手段と
を備えたことを特徴とする携帯電話機。
【請求項２】
前記相手先の仮識別情報を表示することとする時間帯を設定するシークレット時間設定手段を備え、
前記判断手段は、着信があった時間が、前記相手先の仮識別情報を表示することとする時間帯に属する場合に、当該相手先の仮識別情報を表示すると判断することを特徴とする請求項１に記載の携帯電話機。
【請求項３】
当該携帯電話機の所在地に関する位置情報を取得する位置情報取得手段と、
前記相手先の仮識別情報を表示することとする携帯電話機の所在地域を設定するシークレット地域設定手段とを備え、
前記判断手段は、前記位置情報取得手段により取得された位置情報から把握される当該携帯電話機の所在地が、前記相手先の仮識別情報を表示することとする携帯電話機の所在地域に属する場合に、当該相手先の仮識別情報を表示すると判断することを特徴とする請求項１に記載の携帯電話機。
【発明の詳細な説明】
【技術分野】
【０００１】
本発明は、携帯電話機に関する。
【背景技術】
【０００２】
近年の携帯電話機の普及に伴い、１台の携帯電話機で複数の電話番号を使用可能とする要求が強まってきている。１台の携帯電話機で複数の電話番号を使用可能であれば、複数台の携帯電話機を所持することなく、業務用と私的用とに使い分けを行うことができ、料金の支払い先を明確に区分することができる。
【０００３】
１台で複数の電話番号を使用可能とする携帯電話機としては、例えば、複数の電話番号と、当該電話番号での発呼又は着信が許可される条件（例えば、地域、時間、通話先等）とを関連付けて記憶しておき、発呼時又は着信時に使用する電話番号が当該条件を満たすか否かを判断し、当該条件を満たすなら発呼又は着信を許可し、満たされないときには他の電話番号について順次、当該条件を満たすか否かを判断していくことにより発呼又は着信を可能とする携帯電話機が存在する（例えば、特許文献１参照）。特許文献１に記載の携帯電話機であれば、条件が満たされなければ発呼又は着信をすることができないので、使用者の恣意による電話番号の選択に制限を加えることができ、業務用と私的用との使い分けをすることができる。
【０００４】
【特許文献１】特許第２８５０７８１号公報
【発明の開示】
【発明が解決しようとする課題】
【０００５】
ところで、上述したように、１台の携帯電話機で複数の電話番号を使用可能として業務用と私的用とに使い分けた場合、例えば、業務中に私的な電話がかかってきてその着信表示を社員や取引相手に見られてしまうというように、複数の電話番号を使っていることや、これらの電話番号を業務用や私的用に使い分けているということを周囲の人に知られてしまい、人間関係の悪化を招来するおそれがある。
【０００６】
本発明は上述した問題に鑑みてなされたものであり、その目的は、複数の電話番号を複数の用途に分けて使用しつつ、着信表示を周囲の人に見られたとしても人間関係の悪化を招来することがない携帯電話機を提供することにある。
【課題を解決するための手段】
【０００７】
上述した課題を解決するために、本発明は、以下のようなものを提供する。
（１）１台で複数の電話番号の使用が可能であり、かつ、所定の画像を表示可能な表示部を備えた携帯電話機であって、
前記複数の電話番号のいずれかに、相手先の識別情報を関連付けて記憶する識別情報記憶手段と、
前記相手先の識別情報に、前記相手先の仮識別情報を関連付けて記憶する仮識別情報記憶手段と、
着信時に、当該相手先の識別情報を表示するか、又は、当該相手先の仮識別情報を表示するかを判断する判断手段と、
前記判断手段による判断結果に基づいて、前記相手先の識別情報又は前記相手先の仮識別情報を前記表示部に表示させる識別情報表示手段と
を備えたことを特徴とする。
【０００８】
（１）の発明によれば、複数の電話番号のいずれかに相手先の識別情報（例えば、相手先の電話番号、氏名、名称、容姿を表す画像等）が関連付けて記憶されるとともに、相手先の識別情報に相手先の仮識別情報が関連付けて記憶され、着信時に上記判断手段の判断によって、相手先の識別情報を表示するか、又は、相手先の仮識別情報を表示するかが選択されるため、例えば、業務中に私的な電話が「ひろみ」からかかってきた場合には、仮識別情報「ひろし」が表示されるというように、着信表示を変更することができる。従って、複数の電話番号を複数の用途に分けて使用しつつ、着信表示を周囲の人に見られたとしても人間関係の悪化を招来することがない。
【０００９】
さらに、本発明は、以下のようなものを提供する。
（２）  上記（１）に記載の携帯電話機であって、
前記相手先の仮識別情報を表示することとする時間帯を設定するシークレット時間設定手段を備え、
前記判断手段は、着信があった時間が、前記相手先の仮識別情報を表示することとする時間帯に属する場合に、当該相手先の仮識別情報を表示すると判断することを特徴とする。
【００１０】
（２）の発明によれば、着信があった時間が所定の時間帯に属する場合に相手先の仮識別情報が表示されることになるため、例えば、業務時間中に私的な電話が「ひろみ」からかかってきた場合には、仮識別情報「ひろし」が表示されるというように、時間帯に応じて着信表示を変更することができる。従って、複数の電話番号を複数の用途に分けて使用しつつ、着信表示を周囲の人に見られたとしても人間関係の悪化を招来することがない。
【００１１】
（３）  上記（１）に記載の携帯電話機であって、
当該携帯電話機の所在地に関する位置情報を取得する位置情報取得手段と、
前記相手先の仮識別情報を表示することとする携帯電話機の所在地域を設定するシークレット地域設定手段とを備え、
前記判断手段は、前記位置情報取得手段により取得された位置情報から把握される当該携帯電話機の所在地が、前記相手先の仮識別情報を表示することとする携帯電話機の所在地域に属する場合に、当該相手先の仮識別情報を表示すると判断することを特徴とする。
【００１２】
（３）の発明によれば、着信があった位置（携帯電話機の所在地）が所定の地域に属する場合に相手先の仮識別情報が表示されることになるため、例えば、社内で私的な電話が「ひろみ」からかかってきた場合には、仮識別情報「ひろし」が表示されるというように、地域に応じて着信表示を変更することができる。従って、複数の電話番号を複数の用途に分けて使用しつつ、着信表示を周囲の人に見られたとしても人間関係の悪化を招来することがない。
【発明の効果】
【００１３】
本発明の構成によれば、複数の電話番号を複数の用途に分けて使用しつつ、着信表示を周囲の人に見られたとしても人間関係の悪化を招来することがない携帯電話機を提供することができる。
【発明を実施するための最良の形態】
【００１４】
本発明の実施形態について図面に基づいて説明する。以下においては、１台で３つの電話番号の使用が可能な携帯電話機について説明することにする。勿論、本発明の携帯電話機において、１台で使用可能な電話番号の数は複数であれば、特に限定されるものではない。
図１は、本発明の携帯電話機の一例を模式的に示す斜視図である。
【００１５】
携帯電話機１は、基地局にキャリアの入出力を行う３本のアンテナ８ａ〜８ｃ（図示せず）をその内部に有するアンテナ部２と、電話に出たときに相手局（着信相手先）の音声を聞くための受話口３と、各種機能の設定や着信時に相手先の電話番号や氏名等を表示するための表示部としてのディスプレイ４と、着信音量や通話音量を調節したり、メモリダイヤルの内容をディスプレイ４上に所要の状態で表示させたり、各種機能の設定を選択するための十字方向操作キー５と、電話番号や文字等を入力する際に使用されるダイヤルキーを含む操作キー群６と、通話中に自局の音声を伝えるための送話口７とを備えている。
【００１６】
携帯電話機１の外装は、所要の内装部品（電子部品を含む）を収容するためのケース１１と、ケース１１に収容された内装部品を覆うカバー１２とに分割されており、ケース１１内に内装部品を収容した状態で、ケース１１及びカバー１２の両者を嵌め合わせることにより構成されている。
【００１７】
アンテナ部２は、携帯電話機１で使用可能な３つの電話番号にそれぞれ対応した３本のアンテナ８ａ〜８ｃ（図示せず）をその内部に有するものであり、ケース１１及びカバー１２の両者に挟み込まれ、その先端部が携帯電話機１の前端左側から前方へ突出している。受話口３は、カバー１２の前方部に形成される一方、送話口７は、カバー１２の後方部に形成されている。ディスプレイ４の表示面は、受話口３の下方位置においてカバー１２から露出しており、操作キー群６の操作面は、送話口７の上方位置においてカバー１２から露出している。
【００１８】
十字方向操作キー５は、通信を行うべく携帯電話機１を把持した際に母指での操作を容易にするように、ディスプレイ４と操作キー群６との間で、かつ、携帯電話機１の幅方向中央部に配置されている。
【００１９】
図２は、図１に示した携帯電話機の内部構成を示すブロック図である。
携帯電話機１の３つの電話番号に対応した３本のアンテナ８ａ〜８ｃは、それぞれ基地局とのキャリアの入出力を行う。アンテナ８ａ〜８ｃには、それぞれ信号処理回路１０１ａ〜１０１ｃが接続されている。
【００２０】
信号処理回路１０１（１０１ａ〜１０１ｃ）は、アンテナ８（８ａ〜８ｃ）より入力された受信キャリアの復調処理を行う受信器と、送信キャリアを変調処理する送信器と、受信器及び送信器に対して送信キャリア及び受信キャリアの送受信周波数の制御を行うシンセサイザと、音声及び制御情報の復号化処理等を行うチャネルデコーダと、音声及び制御情報の符号化処理を行うチャネルエンコーダと、音声の符号／復号処理を行う音声コーデックと、スピーカ１１１及びマイクロホン１１２とのインターフェイスとして機能する送受話器とを備えている。
【００２１】
アンテナ８（８ａ〜８ｃ）から入力された受信キャリアは、受信機−チャネルデコーダ−音声コーデック−送受信機によって音声に変換されて、スピーカ１１１から出力される。一方、通話中にマイクロホン１１２から入力された音声は、使用中の電話番号に対応した信号処理回路１０１に入力され、送受信機−音声コーデック−チャネルエンコーダ−送信器によって送信キャリアに変換されて、アンテナ８（８ａ〜８ｃ）から出力される。これにより、音声通話が達成される。携帯電話機１は、上述したように、３本のアンテナ８（８ａ〜８ｃ）と、３つの信号処理回路１０１（１０１ａ〜１０１ｃ）とを有しており、３つの電話番号のいずれか１つを使用して音声通話を行うことができる。
【００２２】
信号処理回路１０１ａ〜１０１ｃには、それぞれレベル検出回路１０２ａ〜１０２ｃが接続されている。レベル検出回路１０２（１０２ａ〜１０２ｃ）は、基地局からアンテナ８（８ａ〜８ｃ）を介して信号処理回路１０１（１０１ａ〜１０１ｃ）に入力された受信キャリアの電波強度を検出してそのデータを制御回路１１６に送信する。制御回路１１６は、受信キャリアの電波強度に関するデータを、３つのレベル検出回路１０２（１０２ａ〜１０２ｃ）の各々から受信し、当該データに基づいて、ディスプレイ４にアンテナピクトを表示する。
【００２３】
信号処理回路１０１ａ〜１０１ｃのそれぞれと接続された制御回路１１６は、ＣＰＵ（Central Processing Unit）やメモリ等を有しており、制御中枢を司るものである。具体的には、制御回路１１６は、予め記憶されているプログラムに従って、発信ボタンを含む操作キー群６及び十字操作キー５からの入力に対する制御、ディスプレイ４への表示の制御、信号処理回路１０１ａ〜１０１ｃへの制御（例えば、シンセサイザの制御や、スピーカ１１１又はマイクロホン１１２との音声の送受信を行う信号処理回路１０１ａ〜１０１ｃの切り替え制御等）、着信音出力スピーカ１０３への音信号の出力制御、並びに、バイブレータ用モータ１０４の駆動制御を行う。
【００２４】
また、制御回路１１６（図示せず）は、メモリを有している。このメモリには、例えば、各種の画像データ、着信音を出力するための種々の音データ、通話時間を累積加算して当該メモリに記憶させるプログラム、３つの電話番号の各々についての料金体系に基づいて通話料金を算出するプログラム等、各種のデータやプログラムが記憶される。
【００２５】
また、制御回路１１６には、メモリ等を有する電話番号記憶回路１１３が接続されている。電話番号記憶回路１１３には、アドレス帳テーブルが格納されている。このアドレス帳テーブルには、携帯電話機１で使用可能な電話番号ごとに、相手先の識別情報（例えば、相手先の電話番号、相手先の氏名又は名称、相手先の容姿を表す画像等）が記憶される。さらに、アドレス帳テーブルには、相手先の識別情報に関連付けて相手先の仮識別情報（例えば、電話番号、氏名又は名称、容姿を表す画像等）が記憶される。
【００２６】
さらに、制御回路１１６には、位置情報取得手段であるＧＰＳ（Global Positioning System）受信装置１１７が接続されている。ＧＰＳ受信装置１１７は、複数の衛星からの電波を受信し、現在位置を測定する。この現在位置は、緯度（北緯／南緯・度・分・秒）と経度（東経／西経・度・分・秒）で表される。さらに、ＧＰＳ受信装置１１７は、時刻情報も取得することができる機能も備えている。
本発明の携帯電話機の外観及び内部構成は、勿論、図１、図２に示した例に限定されるものではない。
【００２７】
次に、電話番号記憶回路１１３に格納されるアドレス帳テーブルについて説明する。
図３は、アドレス帳テーブルの一例を示す概念図である。
アドレス帳テーブルには、自局電話番号が３つ記憶されている。これらの電話番号が、携帯電話機１で使用可能な電話番号である。
【００２８】
アドレス帳テーブルには、各電話番号の用途が記憶されている。最上段の電話番号が個人用であり、その下段が業務用Ａ（自社用）であり、最下段が業務用Ｂ（取引先用）である。
このように自局電話番号とその用途とが関連付けられているため、複数の用途についての使い分けが可能であり、通話料金の支払い先を明確にすることができる。
【００２９】
アドレス帳テーブルには、相手先識別情報が記憶されている。相手先識別情報は、各自局電話番号と関連付けられている。例えば、個人用の電話番号には、相手先「ひろみ」の識別情報と、相手先「りょうこ」の識別情報とが関連付けられている。相手先の識別情報には、相手先電話番号と、氏名又は名称と、画像（容姿を表す画像）とが含まれている。
また、相手先「ひろみ」の識別情報には、仮識別情報「ひろし」が関連付けられ、相手先「りょうこ」の識別情報には、仮識別情報「よしお」が関連付けられている。
さらに、相手先「ひろみ」の識別情報と、相手先「りょうこ」の識別情報には、シークレット時間として９：００〜２０：００が設定され、シークレット地域として地域Ａ（自社地域）及び地域Ｂ（自宅地域）が設定されている。
【００３０】
シークレット時間は、相手先の仮識別情報を表示することとする時間帯である。従って、シークレット時間内である９：００〜２０：００に、相手先「ひろみ」から着信があった場合には、相手先の仮識別情報「ひろし」がディスプレイ４に表示される。
【００３１】
シークレット地域は、相手先の仮識別情報を表示することとする携帯電話機１の所在地域である。従って、携帯電話機１の所在地がシークレット地域内であるとき、すなわち、携帯電話機１の所在地が地域Ａ（自社地域）又は地域Ｂ（自宅地域）であるとき、相手先「ひろみ」から着信があった場合には、相手先の仮識別情報「ひろし」がディスプレイ４に表示される。
【００３２】
また、業務用Ａ（自社用）の電話番号には、相手先「○○社長」の識別情報と、相手先「●●部長」の識別情報とが関連付けられている。相手先の識別情報には、相手先電話番号と、氏名又は名称とが含まれている。
相手先「○○社長」と「●●部長」との識別情報には、相手先仮識別情報は関連付けられておらず、シークレット時間及びシークレット地域は設定されていない。
【００３３】
また、業務用Ｂ（取引先用）の電話番号には、相手先「××社」の識別情報と、相手先「◇◇社」の識別情報とが関連付けられている。相手先の識別情報には、相手先電話番号と、氏名又は名称とが含まれている。
相手先「××社」の識別情報には、相手先仮識別情報「△△課長」が関連付けられ、シークレット地域として地域Ｃ（◇◇社地域）が設定されている。相手先「◇◇社」の識別情報には、相手先仮識別情報「▼▼課長」が関連付けられ、シークレット地域として地域Ｄ（××社地域）が設定されている。
【００３４】
従って、携帯電話機１の所在地が地域Ｃ（◇◇社地域）であるとき、相手先「××社」から着信があった場合には、相手先の仮識別情報「△△課長」がディスプレイ４に表示される。また、携帯電話機１の所在地が地域Ｄ（××社地域）であるとき、相手先「◇◇社」から着信があった場合には、相手先の仮識別情報「▼▼課長」がディスプレイ４に表示される。
携帯電話機１において、電話番号記憶回路１１３は、複数の電話番号のいずれかに、相手先の識別情報を関連付けて記憶する識別情報記憶手段として機能する。また、電話番号記憶回路１１３は、相手先の識別情報に、相手先の仮識別情報を関連付けて記憶する仮識別情報記憶手段として機能する。
【００３５】
図３に示したアドレス帳テーブルの各項目の内容、及び、各項目間の関連付けについては、「自局電話番号」の内容を除いて、使用者が十字方向操作キー５や操作キー群６を操作することにより任意に入力することが可能である。また、シークレット時間又はシークレット地域についても、使用者が十字方向操作キー５及び操作キー群６を操作することにより任意に設定することが可能である。制御回路１１６は、相手先の仮識別情報を表示することとする時間帯を設定するシークレット時間設定手段として機能する。また、制御回路１１６は、相手先の仮識別情報を表示することとする携帯電話機１の所在地域を設定するシークレット地域設定手段として機能する。
【００３６】
図４は、携帯電話機１の制御回路１１６において実行される着信処理ルーチンである。
図４に示したサブルーチンは、予め実行されているメインルーチンから所定のタイミングで呼び出されて実行されるものである。
【００３７】
まず、制御回路１１６は、着信があったか否かを判断する（ステップＳ１）。この処理において、制御回路１１６は、アンテナ８（８ａ〜８ｃ）から信号処理回路１０１（１０１ａ〜１０１ｃ）を介して受信キャリアの入力を受けたか否かを判断することにより、着信の有無を判断する。着信がなかったと判断した場合、本サブルーチンを終了する。
【００３８】
一方、ステップＳ１において、着信があったと判断した場合、制御回路１１６は、３つの自局電話番号のうち、当該着信によって使用される自局電話番号を特定する（ステップＳ２）この処理において、制御回路１１６は、３つの信号処理回路１０１ａ〜１０１ｃのうち、受信キャリアの入力を受けた信号処理回路１０１に対応する自局電話番号を、当該着信によって使用される自局電話番号であると特定する。
【００３９】
次に、制御回路１１６は、着信相手先の識別情報を特定する（ステップＳ３）。この処理において、制御回路１１６は、受信キャリアから着信電話番号を取得し、当該着信電話番号と合致する相手先電話番号を電話番号記憶回路１１３内から検索することにより、着信相手先の識別情報を特定する。
【００４０】
次に、制御回路１１６は、着信相手先の識別情報に関連付けられた仮識別情報が存在する否かを判断する（ステップＳ４）。着信相手先の仮識別情報が存在しないと判断した場合、制御回路１１６は、着信表示として、ディスプレイ４に着信相手先の識別情報を表示する（ステップＳ５）。
【００４１】
なお、ステップＳ３において、着信電話番号と合致する相手先電話番号が電話番号記憶手段１１３内に存在しなかった場合には、ステップＳ４において、着信相手先の仮識別情報が存在しないと判断されることになり、ステップＳ５において、制御回路１１６は、着信表示として、着信相手先の識別情報（電話番号）を表示する。
【００４２】
一方、ステップＳ４において、着信相手先の仮識別情報が存在すると判断された場合、制御回路１１６は、着信相手先の識別情報にシークレット時間が設定されているか否かを判断する（ステップＳ６）。シークレット時間が設定されていると判断した場合、制御回路１１６は、着信時刻がシークレット時間に属するか否かを判断する（ステップＳ７）。
着信時刻がシークレット時間に属すると判断した場合、制御回路１１６は、着信表示として、ディスプレイ４に着信相手先の仮識別情報を表示する（ステップＳ８）。このとき、制御回路１１６は、判断手段として機能し、着信があった時間がシークレット時間に属する場合に、ディスプレイ４に相手先の仮識別情報を表示する。
【００４３】
ステップＳ６において、着信相手先の識別情報にシークレット時間が設定されていると判断した場合、又は、ステップＳ７において、着信時刻がシークレット時間に属さないと判断した場合、次に、制御回路１１６は、着信相手先の識別情報にシークレット地域が設定されているか否かを判断する（ステップＳ９）。
【００４４】
着信相手先の識別情報にシークレット地域が設定されていると判断した場合、制御回路１６は、ＧＰＳ受信装置１１７によって、携帯電話機１の現所在地を示す位置情報を取得し（ステップＳ１０）、携帯電話機１の現所在地がシークレット地域に属するか否かを判断する（ステップＳ１１）。
携帯電話機１の現所在地がシークレット地域に属すると判断した場合、制御回路１１６は、着信表示として、ディスプレイ４に着信相手先の仮識別情報を表示する（ステップＳ８）。このとき、制御回路１１６は、判断手段として機能し、ＧＰＳ受信装置（位置情報取得手段）１１７により取得された位置情報から把握される携帯電話機１の所在地がシークレット地域に属する場合に、ディスプレイ４に相手先の仮識別情報を表示する。
【００４５】
ステップＳ９において、着信相手先の識別情報にシークレット地域が設定されていないと判断した場合、又は、ステップＳ１１において、携帯電話機１の現所在地がシークレット地域に属さないと判断した場合、制御回路１１６は、着信表示として、ディスプレイ４に着信相手先の識別情報を表示する（ステップＳ５）。
ステップＳ４〜Ｓ１１の処理が実行されるとき、制御回路１１６は、着信時に、相手先の識別情報を表示するか、又は、相手先の仮識別情報を表示するかを判断する判断手段として機能する。また、ステップＳ５又はＳ８の処理が実行されるとき、制御回路１１６は、相手先の識別情報又は相手先の仮識別情報をディスプレイ（表示部）４に表示させる識別情報表示手段として機能する。
【００４６】
ステップＳ５又はＳ８の処理を実行した後、制御回路１１６は、操作キー群６にある通話ボタンが操作されたか否かを判断する（ステップＳ１２）。操作キー群６にある通話ボタンが操作されたと判断した場合、制御回路１１６は、使用される電話番号に対応したアンテナ８と信号処理回路１０１とによって、着信相手先との通話を開始させ（ステップＳ１３）、本サブルーチンを終了する。
【００４７】
ステップＳ１２において、通話ボタンが操作されていないと判断した場合、制御回路１１６は、着信相手先からの着信が停止したか否かを判断する（ステップＳ１４）。この判断は、使用される電話番号に対応した信号処理回路１０１からの受信キャリアの入力が停止したか否かを判断することにより行われる。
着信相手先からの着信が停止したと判断していない場合、処理をステップＳ１２に戻す。一方、ステップＳ１４において、着信相手先からの着信が停止したと判断した場合、本サブルーチンを終了する。
【００４８】
次に、図４に示したサブルーチンが実行されるときに携帯電話機１のディスプレイ４に表示される画面画像について説明する。
図５（ａ）〜（ｄ）は、図４に示したサブルーチンが実行されるときに携帯電話機１のディスプレイ４に表示される画面画像の一例を示す図である。
図６は、（ａ）〜（ｄ）は、図４に示したサブルーチンが実行されるときに携帯電話機１のディスプレイ４に表示される画面画像の一例を示す図である。
【００４９】
図５（ａ）に示す画面画像は、自社内で勤務中の会社員が所持している携帯電話機１のディスプレイ４に表示される待受画面の一例である。現在の時刻は１２：０５である。また、図中には示されていないが、この携帯電話機１の現所在地は地域Ａ（自社地域）に属している。
【００５０】
このとき、相手先「ひろみ」から着信があると、着信時刻（１２：０５）がシークレット時間（９：００〜２０：００）に属しているため（図３参照）、図５（ｂ）に示すように、ディスプレイ４には、着信表示として、相手先「ひろみ」の識別情報（名称又は氏名）に替えて、相手先「ひろみ」の仮識別情報「ひろし」が表示される。従って、他の社員に着信表示を見られたとしても、私的な電話であると判断されることはなく、人間関係の悪化を招来することはない。
【００５１】
図５（ｃ）に示す画面画像は、帰宅中の会社員が所持している携帯電話機１のディスプレイ４に表示される待受画面である。現在の時刻は２１：０５である。また、図中には示されていないが、この携帯電話機１の現所在地は地域Ａ（自社地域）又は地域Ｂ（自宅地域）のいずれにも含まれていない。
【００５２】
このとき、相手先「ひろみ」から着信があると、着信時刻（２１：０５）がシークレット時間（９：００〜２０：００）に属しておらず、かつ、携帯電話機１の現所在地が地域Ａ又は地域Ｂのいずれにも属さないため（図３参照）、図５（ｄ）に示すように、ディスプレイ４には、着信表示として、相手先「ひろみ」の識別情報である名称、電話番号、及び、相手先「ひろみ」の容姿を表した画像Ａが表示される。
このように、着信時刻がシークレット時間に属さず、かつ、携帯電話機１の現所在地がシークレット地域に属さないとき、すなわち、勤務時間外であって自社地域又は自宅地域にいないときには、着信時に相手先「ひろみ」の名称及び電話番号に加え、相手先「ひろみ」の容姿を表した画像がディスプレイ４に表示される。
【００５３】
図６（ａ）は、自社内で勤務中の会社員が所持している携帯電話機１のディスプレイ４に表示される待受画面の一例である。現在の時刻は１２：１０であり、また、図中には示されていないが、携帯電話機１の現所在地は地域Ａ（自社地域）に属している。
【００５４】
このとき、相手先「××社」から着信があると、携帯電話機１の現所在地はシークレット地域である地域Ｃ（◇◇社地域）に属していないため、図６（ｂ）に示すように、ディスプレイ４には、着信表示として、相手先「××社」の識別情報である名称及び電話番号が表示される。
【００５５】
図６（ｃ）は、出張で××社の競合会社である◇◇社に来ている会社員が所持している携帯電話機１のディスプレイ４に表示される待受画面の一例である。現在の時刻は１５：１０であり、また、図中には示されていないが、携帯電話機１の現所在地は地域Ｃ（◇◇社地域）に属している。
【００５６】
このとき、相手先「××社」から着信があると、携帯電話機１の現所在地はシークレット地域である地域Ｃ（◇◇社地域）に属しているため、図６（ｄ）に示すように、ディスプレイ４には、着信表示として、相手先「××社」の識別情報（名称又は氏名）に替えて、相手先の仮識別情報「△△課長」が表示される。従って、取引相手である◇◇社の社員に着信表示を見られたとしても、競合会社である××社とも取引があるということを知られることはなく、人間関係の悪化を招来することはない。
【００５７】
以上、携帯電話機１によれば、時間帯や地域によって着信表示を変更することができるため、複数の電話番号を複数の用途に分けて使用しつつ、着信表示を周囲の人に見られたとしても人間関係の悪化を招来することがない。
【００５８】
相手先の識別情報としては、特に限定されるものではなく、例えば、相手先の電話番号、相手先の氏名又は名称、相手先の容姿を表す画像、相手先の性別、相手先が属するグループ（例えば、「友人」、「家族」、「会社」等）等を挙げることができる。
相手先の仮識別情報としては、特に限定されるものではなく、例えば、電話番号、氏名又は名称、容姿を表す画像、性別、グループ、着信音、ランプ等の表示色、バイブレータの振動パターン等を挙げることができる。
【００５９】
また、図５（ａ）〜（ｂ）に示した例では、相手先「ひろみ」の識別情報のうち、名称又は氏名のみが仮識別情報「ひろし」に替えて表示され、電話番号はそのまま表示されている。このように、本発明の携帯電話機においては、相手先の識別情報と仮識別情報とを混在させて表示させることとしてもよい。
【００６０】
また、携帯電話機１では、シークレット時間又はシークレット地域を設定可能であり、設定されたシークレット時間に着信があるか、又は、携帯電話機１の所在地域がシークレット地域に属する場合に、相手先の仮識別情報が表示されるのであるが、本発明の携帯電話機においては、例えば、シークレット機能の有効／無効を、使用者の操作によって設定可能であり、シークレット機能が有効となっているときに着信があった場合に、相手先の仮識別情報が表示されることとしてもよい。また、シークレット機能の有効／無効を、相手先の電話番号に個別に設定し得るように構成されていてもよい。
【図面の簡単な説明】
【００６１】
【図１】本発明の携帯電話機の一例を模式的に示す斜視図である。
【図２】図１に示した携帯電話機の内部構成を示すブロック図である。
【図３】図２に示した電話番号記憶回路内のメモリに格納されるアドレス帳テーブルの一例を示す概念図である。
【図４】図１に示した携帯電話機の制御回路において実行される着信処理ルーチンである。
【図５】図４に示したサブルーチンが実行されるときに携帯電話機のディスプレイに表示される画面画像を示す図である。
【図６】図４に示したサブルーチンが実行されるときに携帯電話機のディスプレイに表示される画面画像を示す図である。
【符号の説明】
【００６２】
１  携帯電話機
２  アンテナ部
３  受話口
４  ディスプレイ
５  十字方向操作キー
６  操作キー群
７  送話口
８（８ａ〜８ｃ）  アンテナ
１１  ケース
１２  カバー
１０１（１０１ａ〜１０１ｃ）  信号処理回路
１０２（１０２ａ〜１０２ｃ）  レベル検出回路
１０３  着信音出力スピーカ
１０４  バイブレータ用モータ
１１１  スピーカ
１１２  マイクロホン
１１３  電話番号記憶回路
１１６  制御回路
１１７  ＧＰＳ受信装置
【図１】
2005184539.tif 000003
【図２】
2005184539.tif 000004
【図３】
2005184539.tif 000005
【図４】
2005184539.tif 000006
【図５】
2005184539.tif 000007
【図６】
2005184539.tif 000008